【手続補正書】
【提出日】平成17年3月4日(2005.3.4)
【手続補正１】
【補正対象書類名】明細書
【補正対象項目名】全文
【補正方法】変更
【補正の内容】
【書類名】  明細書
【発明の名称】  電池工具
【特許請求の範囲】
【請求項１】  少なくとも充放電端子を支持する電池パック側端子支持体及び装着方向と平行に伸びるスライドレールを有する電池パックと、電池パックの装着方向と平行に伸びる一対のガイドレール及びスイッチに接続される端子を支持する工具側端子支持体を有する電池工具本体とを備え、スライドレールをガイドレールに係合させた状態で電池パックをスライドさせることによって電池パックを電池工具本体に装着するようにした電池工具であって、前記工具側端子支持体に被係合部を設けると共に電池パックが電池工具本体に装着された時に被係合部に係合する係合部を電池パックに設け、電池パックが電池工具本体に装着された時に工具側端子支持体を電池パックで支持するようにしたことを特徴とする電池工具。
【発明の詳細な説明】
【０００１】
【発明の属する技術分野】
本発明は、電池パックを電源とする電池工具に関するものである。
【０００２】
【従来の技術】
従来の電池工具の電池パック取付装置について図１０〜１８に示す電池式振動ドリル２８を用いて説明する。
電池式振動ドリル２８のハンドル部分にあたる樹脂製で２つ割の外枠であるハンドルカバー２９にはそれぞれ前後方向に平行に伸びる一対の第一ガイドレール３が設けられ、第一ガイドレール３の側面には前後方向に伸びる係合溝部４が設けられ、ガイドレール３底部の一部には係合凸部５が設けられている。またハンドルカバー２９にはスイッチ６と電気的に接続された雌形端子７を収納支持する雌形端子支持体３０が雌形端子支持体３０に設けた嵌合凸部９とハンドルカバー２９に設けた嵌合凹部10の嵌合により固定されている。
【０００３】
電池パック３１は、素電池(セル単体)１４を図示しない端子板等で直列に接続した電池ブロック１５に、電池ブロック１５の正極、負極に電気的に接続され、電池式振動ドリル２８の雌形端子７に挿入される板状の雄形端子１６を支持する雄形端子支持体１７を取り付けた電池組１８、電池式振動ドリル２８の係合溝部４と係合する係合爪部２０とを有する一対の第二ガイドレール１９を平行に設けた前側の電池ケース２１，電池ケース２１と結合されて電池組１８を収納する後側の電池ケース２２，第一ガイドレール３の係合溝部4に第二ガイドレール１９の係合爪部２０を係合させて電池式振動ドリル２８に電池パック３１を所定の位置まで差し込むと係合凸部５と係合する係合凸部２３を有するラッチ３２、常にラッチ３２を係合凸部５へ押圧しているスプリング２６から構成される。また、電池式振動ドリル２８に電池パック３１を取り付けた時、第一ガイドレール３と第二ガイドレール１９の間には０．５〜２mm程度の隙間ａが設けられている。というのは第一ガイドレール３もしくは第二ガイドレール１９にコンクリート粉塵や木屑等が付着した時でも電池パック３１がスムーズに摺動できるようにするためである。
【０００４】
次に電池パック３１を電池式振動ドリル２８に取り付ける方法について説明する。電池式振動ドリル２８の後方向から第一ガイドレール３に設けた係合溝部４に電池パック３１の第二ガイドレール１９に設けた係合爪部２０を係合させて電池パック３１を前方向(図１０左から右)にスライドさせると第一ガイドレール３と第二ガイドレール１９がスライド量に応じて係合されていく。そして図１７、図１８に示すように電池パック３１が所定の位置までスライドされると電池式振動ドリル２８のハンドルカバー２９に設けた係合凸部５でラッチ３２に設けた係合凸部２３が中心側に押されて移動し、更に奥までスライドさせるとラッチ３２の係合凸部２３と電池式振動ドリル２８の係合凸部５が係合されると共に、電池パック３１の雄形端子１６が電池式振動ドリル２８の雌形端子８に接続挟持された状態で電池パック３１は所定の位置に装着される。また逆に電池式振動ドリル２８から電池パック３１を外す場合はラッチ３２を中心側へ押して係合凸部５と係合凸部２３の係合を外した状態で電池パック３１を後方向へスライドして取外すことができる。
【０００５】
【発明が解決しようとする課題】
上記従来技術では、雌形端子８は電池工具、雄形端子１６は電池パック３１にそれぞれ支持されているため、作業中の振動により第一ガイドレール３と第二ガイドレール１９の隙間（０．５〜２mm程度）分電池パック３１がガタつき、雌形端子８の雄形端子挟持部は広げられて変形し接触不良を起こす問題があった。
本発明の目的は、振動が大きい過酷な作業においても端子挟持部が変形せず接触不良にならない電池工具を提供することである。
【０００６】
【課題を解決するための手段】
上記目的は、電池工具の外枠と端子支持体の接合面に第一ガイドレールと第二ガイドレール間程度の隙間（０．５〜２mm程度）を設けて端子支持体が電池工具の外枠に対し前後左右方向に摺動可能になるようにすると共に、電池工具に電池パックを取り付けた時に動作して端子支持体を電池パックで支承する支承機構を設けることにより達成される。
【０００７】
【発明の実施の形態】
本発明の一実施形態を図１〜図９を用いて説明する。
電池式振動ドリル１のハンドル部分にあたる樹脂製で２つ割のハンドルカバー２にはそれぞれ前後方向に平行に伸びる一対の第一ガイドレール３が設けられ、更に第一ガイドレール３には側面に前後方向に伸びる係合溝部４、ガイドレール３底部の一部には係合凸部５が設けられている。またハンドルカバー２にはスイッチ６と電気的に接続された雌形端子７を収納支持する雌形端子支持体８が雌形端子支持体８に設けた嵌合凸部９とハンドルカバー２に設けた嵌合凹部１０の嵌合により摺動可能になるよう取り付けられている。またハンドルカバー２と雌形端子保持部８との接合面には０．５〜２mm程度の隙間ｂが設けられて、雌形端子支持体８はハンドルカバー２に対し前後左右方向に摺動可能となっており、更に雌形端子支持体８の側壁には嵌合穴１２が設けられている。
【０００８】
また電池パック１３は、素電池(セル単体)１４を端子板等で直列に接続した電池ブロック１５に、電池ブロック１５の正極、負極等に電気的に接続された板状の雄形端子１６を支持する雄形端子支持体１７を取り付けた電池組１８、第一ガイドレール３に設けた係合溝部４と係合する係合爪部２０を有する一対の第二ガイドレール１９を平行に設けた前側の電池ケース２１，電池ケース２１と結合されて、電池組１８を収納する後側の電池ケース２２，第一ガイドレール３の係合溝部４に第二ガイドレール１９の係合爪部２０を係合させ電池式振動ドリル１に電池パック１３を所定の位置まで差し込むと係合凸部５に係合する係合凸部２３が係合し、且つ雌形端子支持体８に設けた嵌合穴部１２と嵌合する嵌合爪部２４を設けたラッチ２５、常にラッチ２５を係合凸部５側へ押圧しているスプリング２６から構成される。
【０００９】
次に電池パック１３を電池式振動ドリル１に取り付ける方法について説明する。電池式振動ドリル１の後方向から第一ガイドレール３に設けた係合溝部４に電池パック１３の第二ガイドレール１９に設けた係合爪部２０を係合させて電池パック１３を前方向(図1左から右方向)にスライドさせると第一ガイドレール３と第二ガイドレール１９がスライド量に応じて係合されていく。そして図８、図９に示すように電池パック１３が所定の位置までスライドされるとハンドルカバ２に設けた係合凸部５でラッチ２５の係合凸部２３が中心側に押されて移動し、更に奥までスライドさせるとラッチ２５の係合凸部２３と電池式振動ドリル1の係合凸部５が係合され、且つラッチ２５の嵌合爪部２４と雌形端子支持体８の嵌合穴１２が嵌合されると共に、電池パック１３の雄形端子１６が電池式振動ドリル１の雌形端子７に接続挟持されて電池パック１３は所定の位置に支持される。また逆に電池式振動ドリル１から電池パック１３を外す場合はラッチ２５を中心側へ押して係合凸部５と係合凸部２３の係合を外した状態で電池パック１３を後方向へスライドして取外すことができる。
【００１０】
次に動作について説明する。
電池式振動ドリル1で穴あけ等の作業をすると電池式振動ドリル1と電池パック１３は振動するが、第一ガイドレール３と第二ガイドレール１９の間にはコンクリート粉塵や木屑等が付着した時でも電池パック１３がスムーズに摺動できるように０．５〜２mm程度の隙間ａが設けてあるため、電池パック１３は電池式振動ドリル１に対し隙間ａ分ガタついている。しかし雌形端子支持体の嵌合穴１２とラッチ２５の嵌合爪部２４が嵌合されて雌形端子支持体８は電池パック１３のラッチ２５により支承されている。そのため電池パック１３が電池式振動ドリル１に対し隙間ａ分ガタついても、電池パック１３と雌形端子支持体８は一体となって振動する。すなわち雄形端子１６は雌形端子７にしっかり接続挟持されているため接触不良を防止できる。
【００１１】
【発明の効果】
本発明によれば、穴あけ等の作業中の振動により電池パックがガタついても、電池パックに電池工具の端子支持体が支承されているため、端子支持体に収納支持されている雌形端子と電池パックに支持されている雄形端子はしっかり接続挟持されて接触不良を防止できる。
【図面の簡単な説明】
【図１】本発明の一実施形態を示す電池工具の側面図。
【図２】図１の左側面図。
【図３】図１の底面図。
【図４】本発明の一実施形態を示す電池パックの平面図。
【図５】図４の縦断面図。
【図６】図４の右側面図。
【図７】図１の電池式振動ドリルに図４の電池パックを取り付けた状態を示す断面図。
【図８】電池パックの取り付け途中を示す図７のＡ−Ａ断面図。
【図９】電池パックを取り付けた状態を示す図７のＡ−Ａ断面図。
【図１０】従来の電池工具の一例を示す側面図。
【図１１】図１０の左側面図。
【図１２】図１０の底面図。
【図１３】従来の電池パックの一例を示す上面図。
【図１４】図１３の縦断面図。
【図１５】図１３の右側面図。
【図１６】図１０の電池工具に図１３の電池パックを取り付けた状態を示す縦断面図。
【図１７】電池パックの取り付け途中を示す図１６のＢ−Ｂ断面図。
【図１８】電池パックを取り付けた状態を示す図１６のＢ−Ｂ断面図。
【符号の説明】
１は電池式振動ドリル、２はハンドルカバー、３は第一ガイドレール、８は雌形端子支持体、１２は嵌合穴、１３は電池パック、１９は第二ガイドレール、２４は嵌合爪部ｂ，２５はラッチである。